(57)【要約】【課題】使用者がＩＣカードの四隅のどこを把持しても、リーダライタ側にて安定した情報の読み取りを可能とする非接触ＩＣカードを提供する。【解決手段】この非接触ＩＣカード１は、アンテナ３をカード基材２の略矩形の四隅２ａ、２ｂ、２ｃ及び２ｄを部分的に避けた略ひし形のＳ字状としているので、使用者がＩＣカードの四隅のどこを把持しても、リーダライタ側にて安定した情報の読み取りを可能とする。【選択図】  図１
2009037412.tif 000002
【特許請求の範囲】
【請求項１】
上位端末装置との間で非接触に情報を送受する非接触ＩＣカードにおいて、
絶縁部材からなる略矩形のカード基材と、
前記カード基材上の四隅を部分的に避けて位置するアンテナと、
前記アンテナに接続されるＩＣチップと
を備えることを特徴とする非接触ＩＣカード。
【請求項２】
前記アンテナは、前記カード基材上の四隅を部分的に避けて位置する略ひし形に形成されることを特徴とする請求項１記載の非接触ＩＣカード。
【請求項３】
前記アンテナは、略ひし形のＳ字状に形成されることを特徴とする請求項２記載の非接触ＩＣカード。
【発明の詳細な説明】
【技術分野】
【０００１】
本発明は、上位端末装置であるリーダライタとの間で電磁結合又は無線信号の送受により、電力の受信、及び信号の送受信を行う、非接触ＩＣカードに関し、特に非接触ＩＣカード内のアンテナの構造に関する。
【背景技術】
【０００２】
現在、電子マネー、電子切符等の記憶媒体としてプロセッサなどのＩＣチップを内蔵したＩＣカードが広く使用されている。特に、非接触ＩＣカードは、上位端末装置であるリーダライタから電磁結合又は電波で信号を送受することにより、電力の受信、及び信号の送受信を行う。
【０００３】
非接触式ＩＣカードは、通常、信号を送受信するための渦巻き状のコイル又はアンテナと、信号を処理するためのＩＣチップやチップコンデンサ等の電子部品、回路導体、及びこれらを支持する基板からなっている。
【０００４】
このうち、コイル又はアンテナは、絶縁基板（ガラスエポキシ、ポリエステルフィルム等のフレキシブルシート）上に、銅又はアルミの箔を貼り付け、エッチングして形成したシートコイルやダイポール型アンテナ、断面が円形又は長方形（長円形）の銅線などを渦巻き状に巻いた巻線コイル、あるいは、ポリエステルフィルム等のフレキシブルシート上に、導体ペーストをシルクスクリーン印刷によって形成したものなどがある。前者２つ（エッチングコイル及び巻線コイル）は、比較的低抵抗の材料が選択できるため、コイル又はアンテナに要求される低抵抗、高インダクタンスとすることが可能である。
【０００５】
非接触ＩＣカードには、通信距離が、数ｍｍ〜十ｍｍ程度の密着型と、数十ｍｍの近接型、及び通信距離が、数十ｃｍから数ｍの遠隔型がある。
【０００６】
下記特許文献１、特許文献２には、アンテナコイルの構造、材料などに関する技術が記載されている。
【特許文献１】特開平１０−２０３０６６号公報
【特許文献１】特開２００５−２２２５６５号公報
【発明の開示】
【発明が解決しようとする課題】
【０００７】
ところで、密着型、近接型及び遠隔型の非接触ＩＣカードを使用するときには、上位端末装置であるリーダライタに電磁結合、又は電波で信号を送受するのに、アンテナの形状と、カードを把持する使用者の指、手などの位置との関係によって、リーダライタ側で安定した情報の読み取りが出来ない虞がある。特に、略矩形のカードの四隅を使用者が把持するときに、読み取り能力が落ちる虞がある。
【０００８】
本発明は、前記実情に鑑みてなされたものであり、使用者がＩＣカードの四隅のどこを把持しても、リーダライタ側にて安定した情報の読み取りを可能とする非接触ＩＣカードの提供を目的とする。
【課題を解決するための手段】
【０００９】
本発明に係る非接触ＩＣカードは、前記課題を解決するために、上位端末装置との間で非接触に情報を送受する非接触ＩＣカードにおいて、絶縁部材からなる略矩形のカード基材と、前記カード基材上の四隅を部分的に避けて位置するアンテナと、前記アンテナに接続されるＩＣチップとを備えるのが好ましい。
【００１０】
この非接触ＩＣカードにあって、前記アンテナは、前記カード基材上の四隅を部分的に避けて位置する略ひし形に形成される。特に、前記アンテナは、略ひし形のＳ字状に形成されるのが好ましい。
【発明の効果】
【００１１】
本発明に係る非接触ＩＣカードによれば、使用者がＩＣカードの四隅のどこを把持しても、リーダライタ側にて安定した情報の読み取りを可能とする。
【発明を実施するための最良の形態】
【００１２】
以下、本発明を実施するための最良の形態について図面を参照しながら説明する。
【００１３】
図１は本発明の非接触ＩＣカードの具体例を示す平面図である。この非接触ＩＣカード１は、上位端末装置であるリーダライタとの間で電磁結合又は無線信号の送受により、電力の受信、及び信号の送受信を行う。
【００１４】
非接触ＩＣカード１は、絶縁部材からなる略矩形のカード基材２と、カード基材２上の四隅２ａ、２ｂ、２ｃ及び２ｄを部分的に避けて位置するアンテナ３と、アンテナ３に接続されるＩＣチップ４とを備える。
【００１５】
カード基材２としては、例えば０．７６ｍｍ厚のポリエステルフィルムＰＥＴを用いることができる。アンテナ３としては、被覆された電線を用いることができる。また、基材２の表面にプリントされたプリントコイルであってもよい。また、プリントコイルに、金属箔をエッチング加工して形成したものや、導電性ペーストを印刷法によって形成したものを用いることもできる。また、銀ペーストや、アルミをアンテナ３として用いることができる。
【００１６】
アンテナ３は、カード基材２の四隅２ａ、２ｂ、２ｃ及び２ｄを部分的に避けた形状である。特に、この具体例では、アンテナ３を略ひし形のＳ字状に形成している。アンテナ３は略矩形の短辺を縦に、長辺を横にした図１の平面図にあって、中央の縦部３ａを３本の細い線状帯３ｂ、３ｃ及び３ｄに形成している。３本の線状帯によって形成される二つの領域３ｅは、アンテナ３とＩＣチップ４の整合性をとるために設けている。
【００１７】
縦部３ａの３本の線状帯のうち、中央の線状帯３ｃにはＩＣチップ４を取り付けるための電極が設けられている。図２はＩＣチップ４を取り付けるためのスペース３ｆを拡大した図である。線状帯３ｃ１の端部と、線状帯３ｃ２の端部との間のスペース３ｆにＩＣチップ４を取り付ける。線状帯３ｃ１の端部及び線状帯３ｃ２の端部には、電極３ｇ及び３ｇを設けている。
【００１８】
この非接触ＩＣカード１は、アンテナ３を略矩形のカード基材２の四隅２ａ、２ｂ、２ｃ及び２ｄを部分的に避けたＳ字状の略ひし形形状としているので、使用者がＩＣカードの四隅のどこを把持しても、リーダライタ側にて安定した情報の読み取りを可能とする。
【００１９】
図３には、比較例の非接触ＩＣカード１１の平面図を示す。この比較例の非接触ＩＣカード１１は、絶縁部材からなる略矩形のカード基材１２と、カード基材１２上の四隅１２ａ、１２ｂ、１２ｃ及び１２ｄのうちの二つの隅１２ｂ及び１２ｄを部分的に避けて位置するアンテナ１３と、アンテナ１３に接続されるＩＣチップ１４とを備える。アンテナ１３は、角型Ｓ字状アンテナである。
【００２０】
以下に、本発明の具体例と比較例について持ち方と読み取り距離の関係を比較する。図４は非接触ＩＣカード１に対する異なる持ち方の例を示す。また、図５は比較例となる非接触ＩＣカード１１に対する異なる持ち方の例を示す。
【００２１】
本発明の具体例となる非接触ＩＣカード１は、何れの持ち方（Ａ）、（Ｂ）及び（Ｃ）でもアンテナがＳ字状の略ひし形形状であるので、指でアンテナの一部分が覆われてしまうことがない。比較例の非接触ＩＣカード１１では持ち方（Ｂ）のときに、角型Ｓ字アンテナの一部分が指で覆われてしまう。
【００２２】
図６には、角型Ｓ字状アンテナ１３の非接触ＩＣカード１１と、略ひし形Ｓ字状アンテナ３の非接触ＩＣカード１との読み取り試験の結果を示す。上位端末装置であるリーダライタにおいて安定な読み取りが出来たか、あるいは不安定ながら読み取りが出来たかを、ＩＣカードとリーダライタとの距離を変化させて試験した。
【００２３】
持ち方（Ａ）の場合、角型Ｓ字状アンテナでは読み取り距離２４０ｃｍで安定な読み取りができた。読み取り距離２７０ｃｍまでは不安定ながらも読み取りができた。これに対して、略ひし形Ｓ字状アンテナでは読み取り距離３４０ｃｍでも安定な読み取りができた。また、読み取り距離３６０ｃｍまでは不安定ながらも読み取りができた。
【００２４】
持ち方（Ｂ）の場合、その差は顕著である。角型Ｓ字状アンテナでは読み取り距離１４０ｃｍまでで安定な読み取りができた。読み取り距離１７０ｃｍまでは不安定ながらも読み取りができた。これに対して、略ひし形Ｓ字状アンテナでは読み取り距離２６０ｃｍでも安定な読み取りができた。また、読み取り距離３５０ｃｍまでは不安定ながらも読み取りができた。図４及び図５の（Ｂ）に示したように、持ち方（Ｂ）では比較例の角型Ｓ字状アンテナの一部分が指で覆われてしまうのに対し、本発明の具体例の略ひし形Ｓ字状アンテナではいずれの隅も指で覆われることがないため、無線信号の送受信を妨げることがないためである。
【図面の簡単な説明】
【００２５】
【図１】本発明の具体例の非接触ＩＣカードの平面図である。
【図２】本発明の具体例の非接触ＩＣカードのＩＣチップ取り付け部分の拡大図である。
【図３】比較例の非接触ＩＣカードの平面図である。
【図４】本発明の具体例に対する持ち方を示す図である。
【図５】比較例に対する持ち方を示す図である。
【図６】読み取り試験の結果を示す図である。
【符号の説明】
【００２６】
１  非接触ＩＣカード
２  基材
３  略ひし形Ｓ字アンテナ
４  ＩＣチップ
【図１】
2009037412.tif 000003
【図２】
2009037412.tif 000004
【図３】
2009037412.tif 000005
【図４】
2009037412.tif 000006
【図５】
2009037412.tif 000007
【図６】
2009037412.tif 000008